(57)【要約】【課題】簡便な作業によってエレベータのかごに閉じ込められた乗客を救出する装置及び方法を提供する。【解決手段】エレベータ昇降路１に設置されたかご２に付設され液体を注入可能とした注液タンク７と、液体を溜める貯液タンク１０と、この貯液タンク１０から注液タンク７に液体を輸送する注液ポンプ１１と、注液タンク７から液体を除去する排液ポンプ９と、注液タンク７と貯液タンク１０とを接続する注液ホース１２と、注液タンク７と排液口１５とを接続する排液ホース１６とを備え、排液口１５は、貯液タンク１０に設けたエレベータの乗客救出装置を用いる。【選択図】図１
2013193878.tif 000002
【特許請求の範囲】
【請求項１】
エレベータ昇降路に設置されたかごに付設され液体を注入可能とした注液タンクと、前記液体を溜める貯液タンクと、この貯液タンクから前記注液タンクに前記液体を輸送する注液ポンプと、前記注液タンクから前記液体を除去する排液ポンプと、前記注液タンクと前記貯液タンクとを接続する注液ホースと、前記注液タンクと排液口とを接続する排液ホースとを備え、前記排液口は、前記貯液タンクに設けたことを特徴とするエレベータの乗客救出装置。
【請求項２】
エレベータ昇降路に設置されたかごに付設され液体を注入可能とした注液タンクと、前記液体を溜める貯液タンクと、前記注液タンクから前記液体を除去する排液ポンプと、前記注液タンクと前記貯液タンクとを接続する注液ホースと、前記注液タンクと排液口とを接続する排液ホースとを備え、前記貯液タンクは、前記かごが到達する高さよりも上方に設置したことを特徴とするエレベータの乗客救出装置。
【請求項３】
前記排液口は、前記貯液タンクに設けたことを特徴とする請求項２記載の乗客救出装置。
【請求項４】
前記排液ポンプは、前記液体を前記注液タンクから前記貯液タンクに戻すことを特徴とする請求項１〜３のいずれか一項に記載の乗客救出装置。
【請求項５】
エレベータ昇降路に設置されたかごに付設され液体を注入可能とした注液タンクと、前記液体を溜める貯液タンクと、前記注液タンクと前記貯液タンクとを接続する注液ホースとを備え、前記注液タンクは、前記液体を吸収する吸液材を有することを特徴とするエレベータの乗客救出装置。
【請求項６】
前記注液タンクは、前記かごから取り外し可能としたことを特徴とする請求項５記載の乗客救出装置。
【請求項７】
前記液体は、水又は油であることを特徴とする請求項１〜６のいずれか一項に記載の乗客救出装置。
【請求項８】
請求項１〜７のいずれか一項に記載の乗客救出装置を備えたことを特徴とするエレベータシステム。
【請求項９】
エレベータ昇降路に設置されたかごに付設された注液タンクに貯液タンクから液体を注入し、前記かごを最寄り階に移動して前記かごの中の乗客を救出し、その後、前記注液タンクの前記液体を前記エレベータ昇降路の外部又は前記貯液タンクに排出することを特徴とするエレベータの乗客救出方法。
【請求項１０】
エレベータ昇降路に設置されたかごに付設された前記液体を吸収する吸液材を有する注液タンクに貯液タンクから液体を注入し、前記かごを最寄り階に移動して前記かごの中の乗客を救出し、その後、前記注液タンクを前記かごから取り外すことを特徴とするエレベータの乗客救出方法。
【発明の詳細な説明】
【技術分野】
【０００１】
本発明は、エレベータのかごに閉じ込められた乗客を救出する装置及び方法に関する。
【背景技術】
【０００２】
エレベータ昇降路内にあるかご及び釣合い重りは、主ロープの懸架手段によって釣瓶式に懸架されているため、かごと釣合い重りとはそれぞれ逆方向に昇降する。したがって、動力電源の遮断等によってかご内に乗客が閉じ込められた場合には、通常、上記の懸架手段が巻き掛けられた駆動綱車の回動を制動するブレーキ装置を解放することにより、かご及び釣合い重りの重い方を下降させて、かごを最寄り階の乗場に移動させる。
【０００３】
しかし、かごの重量及び釣合い重りの重量が同じ場合、上記のブレーキ装置を解放させても、かごを昇降させることはできない。
【０００４】
特許文献１には、エレベータの駆動装置の運転ができない場合に、乗りかごの天井に砂袋や水タンク等の重りを載置して乗りかごを最寄りの救出階まで降下させる乗客救出方法が開示されている。
【０００５】
特許文献２には、エレベータのかごに設けられた注水タンクと、注水タンクに設けられた給水口と、一端部が給水口に、他端部が昇降路の外部に設けられた注水口に接続されたホースと、注水タンクに設けられた排水口と、排水口を開閉する排水口開閉装置とを備えたエレベータの救出装置が開示されている。
【先行技術文献】
【特許文献】
【０００６】
【特許文献１】特開２０００−１６９０５５号公報
【特許文献２】特開２００７−１６１４４６号公報
【発明の概要】
【発明が解決しようとする課題】
【０００７】
特許文献１記載の乗客救出方法は、緊急時において連絡を受けた救出作業者が乗りかごの天井に砂袋や水タンク等の重りを載置することにより、乗りかご側と釣合重り側とのバランスを変化させるものであるが、重り等を外部から搬入する手間がかかるという問題が残っている。
【０００８】
特許文献２記載の救出装置においては、注水タンクに注水した液体は、昇降路のピットに排水溝や排水装置を設置しておくことにより、注水タンクの液体をピット内にそのまま排水することが可能となるが、排水方法によっては、排水した液体がピット内にある電気機器や配線にかかり、電気機器の破壊や配線腐食の原因となる問題が生じる。
【０００９】
本発明の目的は、簡便な作業によってエレベータのかごに閉じ込められた乗客を救出する装置及び方法を提供することにある。
【課題を解決するための手段】
【００１０】
本発明のエレベータの乗客救出装置は、エレベータ昇降路に設置されたかごに付設され液体を注入可能とした注液タンクと、液体を溜める貯液タンクと、この貯液タンクから注液タンクに液体を輸送する注液ポンプと、注液タンクから液体を除去する排液ポンプと、注液タンクと貯液タンクとを接続する注液ホースと、注液タンクと排液口とを接続する排液ホースとを備え、排液口は、貯液タンクに設けたことを特徴とする。
【発明の効果】
【００１１】
本発明によれば、エレベータのかご内に閉じ込められた乗客の救出、並びに救出後のエレベータ復帰を容易に行うことができ、尚且つ、ピット内に排水することがなくなり、液体がピット内にある電気機器や配線にかからなくなるため、電気機器の破壊や配線腐食を防ぐことができる。
【図面の簡単な説明】
【００１２】
【図１】実施例の乗客救出装置を備えたエレベータシステムを示す全体構成図である。
【図２】図１のエレベータシステムの昇降路等を示す横断面図である。
【図３】他の実施例の乗客救出装置を備えたエレベータシステムを示す全体構成図である。
【図４】他の実施例の乗客救出装置を備えたエレベータシステムを示す全体構成図である。
【図５】他の実施例の乗客救出装置を示す部分構成図である。
【発明を実施するための形態】
【００１３】
以下、実施例について図面に基づいて説明する。
【実施例１】
【００１４】
図１は、実施例の乗客救出装置を備えたエレベータシステムを示す全体構成図である。
【００１５】
本図において、エレベータシステムは、エレベータ昇降路１、エレベータ昇降路１内を昇降するかご２、エレベータ昇降路１内のかご２とは逆方向に昇降する釣合い重り３、かご２と釣合い重り３とを釣瓶式に懸架する主ロープ４、主ロープ４を巻きつけた巻上げ機の駆動綱車５、主ロープ４を巻きつけたそらせ車６等を備えている。かご２は、駆動綱車５の回転により主ロープ４が移動することにより、エレベータ昇降路１内を昇降する。
【００１６】
釣合い重り３の重量は、かご２に定員の半分が乗車した際に主ロープ４に掛かっているかご２の重量と釣合い重り３の重量とがほぼ同じになるように設定されている。
【００１７】
本図においては、かご２の側面部に注液タンク７が設置してある。注液タンク７の上部には注液口８が設置してあり、注液タンク７の下部には排液ポンプ９が設置してある。また、エレベータ昇降路１内には、貯液タンク１０が設置してあり、この中に液体（例えば、水又は油）を貯留してある。貯液タンク１０内にある液体は、注液ポンプ１１、注液ホース１２及び注液口８を介して注液タンク７に注入するようになっている。注液ホース１２は、注液ホースそらせ車１３、１４に巻きつけて支持されている。注液タンク７への注液は、例えば、機械室に設置した注液スイッチを押すことにより、注液ポンプ１１を稼働して行うようになっている。
【００１８】
注液タンク７に入っている液体は、排液ポンプ９、排液ホース１６、及び貯液タンク１０に設けた排液口１５を介して貯液タンク１０に排出し、かご２の重量を減少させることができるようになっている。排液ホース１６は、排液ホースそらせ車１７、１８、１９、２０に巻きつけて支持されている。注液タンク７からの排液のための排液スイッチも、注液スイッチと同様に機械室に設置してもよい。
【００１９】
かご２及び注液ポンプ１１は、注液ホース１２の懸架手段によって釣瓶式に懸架されているため、互いに逆方向に昇降する。排液ポンプ９は、かご２とともに昇降するため、かご２及び排液口１５は、同じ方向に昇降する。
【００２０】
図２は、図１のエレベータシステムの昇降路等を示す横断面図である。
【００２１】
本図においては、エレベータ昇降路１内のかご２、釣合い重り３、注液タンク７及び貯液タンク１０の配置の例を示している。
【００２２】
かご２内に閉じ込められた乗客を救出する際には、注液タンク７に液体を注入し、又は、注液タンク７から液体を排出することにより、かご２の重量を変化させる。
【００２３】
動力電源遮断により、かご２内に閉じ込められた乗客を救出する際の動作を説明する。
【００２４】
かご２内に閉じ込められてしまった場合、エレベータの作業員は、巻き上げ機の設置させている場所へ行き、駆動綱車５の回転を制御しているブレーキ装置（図示していない）のブレーキを開放する。これにより、かご２と釣合い重り３との間に重量の差がある場合には、かご２もしくは釣合い重り３の重い方が下降する。この場合は、かご２を最寄り階に移動して、かご２内の乗客を救出する。
【００２５】
しかし、かご２及び釣合い重り３の重量が同じの場合、釣合いがとれているため、ブレーキを開放しても、かご２を昇降させることができない。この場合、作業員は、ブレーキ開放をやめ、ブレーキ動作状態に戻す。そして、機械室に設置されている注液スイッチを押すことにより、貯液タンク１０内の水等の液体を注液タンク７に注入する。これにより、注液タンク７に注入した液体の重量分がかご２の重量に加わる。作業者は、かご２の重量と注液タンク７の重量とを合わせた重量が釣合い重り３より重くなるまで液体を注入し、その後、ブレーキを開放して、かご２を最寄り階に移動して、かご２内の乗客を救出する。
【００２６】
かご２内の乗客を救出した後、エレベータを通常運転に復帰させるためには、作業員は、機械室に設置されている排液スイッチを押すことにより、排液ポンプ９を作動し、注液タンク７内の液体を排出する。これにより、注液タンク７内の液体を通常運転時における所定の状態に戻すことができる。
【００２７】
本実施例によれば、注液タンク７に溜まった液体を、排液ポンプ９を用いて貯液タンク１０に排出するため、注液タンク７に溜まった液体をエレベータ昇降路１のピット内に排出することがなくなる。このため、液体がピット内にある電気機器や配線にかからなくなり、ピット内にある電気機器の破壊や配線腐食を防ぐことができる。
【００２８】
排液口１５の位置は、水がピット内にある電気機器や配線にかからない構成であれば、特に限定されるものではない。また、排液口１５を貯液タンク１０に設けた場合であっても、排液を貯液タンク１０に溜めずに外部に排出してもよい。
【実施例２】
【００２９】
図３は、他の実施例の乗客救出装置を備えたエレベータシステムを示す全体構成図である。
【００３０】
実施例１と異なる点は、注液ポンプ１１を用いず、屋上に設置した貯液タンク１０１から注液ホース１２及び注液口８を介して水位差を利用して注液タンク７に液体を注入する。注液量は、注液ホース１２に設けたバルブ（図示していない）の開閉によって調節する。
【００３１】
なお、本図においては、排液口１５を貯液タンク１０内に設置しているが、これに限定されるものではなく、排液口１５を貯液タンク１０１に設けてもよい。また、水がピット内にある電気機器や配線にかからない構成であれば、排液口１５の位置は限定されない。さらに、貯液タンク１０１は、かご２が到達する高さよりも上方に設置することが望ましい。
【００３２】
本実施例によれば、停電によって注液ポンプが稼働できない状況であっても液体を注入することができる。
【実施例３】
【００３３】
図４は、他の実施例の乗客救出装置を備えたエレベータシステムを示す全体構成図である。
【００３４】
本図においては、注液タンク１０７がかご２の下面に付設してある。注液口１０８は、注液タンク１０７の側面部に設けてある。また、実施例１と同様に、排液ポンプ１０９が注液タンク１０７の下部に設けてある。
【００３５】
本実施例によれば、エレベータ昇降路１内の空間を更に有効活用でき、かご２の容量を大きくすることができる。
【実施例４】
【００３６】
図５は、他の実施例の乗客救出装置を示す部分構成図である。
【００３７】
本図においては、かご２の下面に設けた注液タンク２０７の内部に吸液材２０８（例えば、吸水材又は吸油材）を封入してある。吸液材２０８は、吸液ポリマ等が望ましい。注液ホース１２及び注液口１０８を介して注液タンク２０７に水を注入して、吸液材２０８に水を吸収させ、かご２側の重量を大きくすることができる。また、吸液材２０８を封入した注液タンク２０７は、取り外すことができるようにしてある。これにより、液体を排出する必要がなくなる。
【００３８】
本実施例においては、かご２の中の乗客を救出した後、注液タンク２０７をかご２から取り外すことができる。吸液材２０８を封入した注液タンク２０７は、新しいものに取り替えればよい。
【００３９】
本実施例によれば、液体を排出する必要がなくなるため、ピット内の電気機器等の破壊や配線腐食を防止することができる。
【００４０】
以上の実施例において、注入する液体は、水又は油を用いる場合を想定して記載したが、これに限定されるものではなく、注入する液体として流動性の高いスラリー、砂、粉末等を用いてもよい。油を用いた場合、水よりも腐敗しにくいという利点がある。
【符号の説明】
【００４１】
１：エレベータ昇降路、２：かご、３：釣合い重り、４：主ロープ、５：駆動綱車、６：そらせ車、７、１０７、２０７：注液タンク、８、１０８：注液口、９、１０９：排液ポンプ、１０、１０１：貯液タンク、１１：注液ポンプ、１２：注液ホース、１３、１４：注液ホースそらせ車、１５：排液口、１６：排液ホース、１７、１８、１９、２０：排液ホースそらせ車、２０８：吸液材。
【図１】
2013193878.tif 000003
【図２】
2013193878.tif 000004
【図３】
2013193878.tif 000005
【図４】
2013193878.tif 000006
【図５】
2013193878.tif 000007